(57)【特許請求の範囲】
【請求項１】
無線局、特に移動無線局の消費電力を制御するための装置であって、前記無線局は少なくとも２つの無線システム（ＦＳ１・ＦＳ２）を備え、上記無線システム（ＦＳ１・ＦＳ２）は、それぞれ、１つの無線標準規格に準拠しており、上記無線局は、互いに異なる時間パターンで、これらの少なくとも２つの無線標準規格の信号を送信／受信するように設計されており、
第１周波数生成ユニット（ＮＦＯ）、特に可聴周波数発振器と、
モニタリングユニット（ＫＥ）とを備え、
上記モニタリングユニット（ＫＥ）が、上記第１周波数生成ユニット（ＮＦＯ）に電気的に接続されており、上記消費電力を制御するために、上記無線局の各無線システム（ＦＳ１・ＦＳ２）に電気的に接続されており、
各無線システム（ＦＳ１・ＦＳ２）が、時間制御ユニット（ＺＳ１・ＺＳ２）を備え、
プロセッサユニット（ＰＥ）は、動作停止期間を上記無線局にプログラムすることができ、
上記プロセッサユニット（ＰＥ）によって、トリガー信号が動作停止期間の開始時点で、上記時間制御ユニット（ＺＳ１・ＺＳ２）から上記モニタリングユニット（ＫＥ）に送信される装置。
【請求項２】
上記モニタリングユニット（ＫＥ）は、各同期線（ＳＹ１・ＳＹ２）、特に、双方向同期線を介して、各時間制御ユニット（ＺＳ１・ＺＳ２）に電気的に接続されていることを特徴とする請求項１に記載の装置。
【請求項３】
各無線システム（ＦＳ１・ＦＳ２）は、クロック信号生成器（ＴＧ１・ＴＧ２）を備え、上記モニタリングユニット（ＫＥ）は、第２信号線（ＴＳ２）を介して、上記クロック信号生成器（ＴＧ１・ＴＧ２）のうちの１つに電気的に接続されていることを特徴とする請求項１または２に記載の装置。
【請求項４】
上記モニタリングユニット（ＫＥ）が、上記プロセッサユニット（ＰＥ）と、電源ユニット（ＥＶ）と、第２周波数生成ユニット（ＨＦＯ）、特に無線周波数発振器とに電気的に接続されており、異なる消費電力によって特徴付けられる上記プロセッサユニット（ＰＥ）と上記電源ユニット（ＥＶ）と上記第２周波数生成ユニット（ＨＦＯ）との動作状態が、上記モニタリングユニット（ＫＥ）によって制御され得ることを特徴とする請求項１〜３のいずれか１項に記載の装置。
【請求項５】
上記モニタリングユニット（ＫＥ）が、第１信号線（ＳＳ３）および第２信号線（ＳＳ４）によって、上記プロセッサユニット（ＰＥ）に電気的に接続されており、
上記動作停止期間を示す信号を上記第１信号線（ＳＳ３）を介して送信でき、上記動作停止期間の開始時間および継続期間は、特に上記移動無線システムの異なる時間パターンに整合しており、
特に、上記無線局での上記動作停止期間の開始時間および／または終了時間の間、無線システム（ＦＳ１・ＦＳ２）を再プログラミングするための信号を、上記第２信号線（ＳＳ４）を介して送信できることを特徴とする請求項４に記載の装置。
【請求項６】
上記プロセッサユニット（ＰＥ）が、信号線（ＳＳ５）を介して、各無線システム（ＦＳ１・ＦＳ２）、特に、各無線システム（ＦＳ１・ＦＳ２）の各クロック信号発生器（ＴＧ１・ＴＧ２）に電気的に接続されていることを特徴とする、請求項４または５に記載の装置。
【請求項７】
上記無線局の消費電力が変化する動作状態の開始時間および／または終了時間、および／または、消費電力が減少または増加する動作状態の期間を、モニタリングユニット（ＫＥ）によって制御できることを特徴とする請求項１〜６のいずれか１項に記載の装置。
【請求項８】
上記無線標準規格が、少なくともＵＭＴＳ、ＧＳＭ、および、ＧＳＭ／ＥＤＧＥ標準規格を含んでいることを特徴とする請求項１〜７のいずれか１項に記載の装置。
【請求項９】
少なくとも２つの無線システム（ＦＳ１・ＦＳ２）を備えた無線局、特に移動無線局の消費電力を制御するための方法であって、上記無線システム（ＦＳ１・ＦＳ２）は、それぞれ、１つの無線標準規格に準拠しており、上記無線局は、少なくとも２つの無線標準規格の信号を互いに異なる時間パターンで送信／受信するように設計されており、上記無線局において、上記無線局のユニットによって動作停止期間における異なる消費電力によって特徴付けられる動作状態への切り替えを行い、上記動作停止期間は、上記動作停止期間が各時間ユニットにおいて測定されるように、異なる時間パターンの開始および継続期間と整合しており、
各無線システム（ＦＳ１・ＦＳ２）が、時間制御ユニット（ＺＳ１・ＺＳ２）を備え、
プロセッサユニット（ＰＥ）は、上記動作停止期間を上記無線局にプログラムすることができ、
上記プロセッサユニット（ＰＥ）によって、トリガー信号が動作停止期間の開始時点で、上記時間制御ユニット（ＺＳ１・ＺＳ２）からモニタリングユニット（ＫＥ）に送信される方法。
【請求項１０】
上記動作停止期間および開始時間および／または終了時間を、モニタリングユニット（ＫＥ）によって監視することを特徴とする請求項９に記載の方法。
【請求項１１】
上記無線局における上記ユニットの上記動作状態の上記切り替えを、モニタリングユニット（ＫＥ）によって実行および／またはサポートすることを特徴とする請求項９または１０に記載の方法。
【請求項１２】
各無線システム（ＦＳ１・ＦＳ２）に配置されている上記無線局の上記ユニット、特に上記時間制御ユニット（ＺＳ１・ＺＳ２）を非能動化するか、または、動作停止期間中に、消費電力が低減した状態に切り替えることを特徴とする請求項９〜１１のいずれか１項に記載の方法。
【請求項１３】
第２周波数生成ユニット、特に無線周波数発振器（ＨＦＯ）のクロック信号が非能動化されている動作停止期間において、上記動作停止期間の終了までの期間を可聴周波数発振器（ＮＦＯ）からのクロック信号によって決定することを特徴とする請求項９〜１２のいずれか１項に記載の方法。
【請求項１４】
上記動作停止期間を、プロセッサユニット（ＰＥ）からの信号によって上記モニタリングユニット（ＫＥ）にプログラムすることを特徴とする請求項９〜１３のいずれか１項に記載の方法。
【請求項１５】
上記プロセッサユニット（ＰＥ）は、各無線システムのクロック信号生成器（ＴＧ１・ＴＧ２）に送信される第２信号を生成し、
上記第２信号を用いて、上記動作停止期間の開始時間にトリガー信号の生成を、関連する無線システム（ＦＳ１・ＦＳ２）の時間制御ユニット（ＺＳ１・ＺＳ２）によって、上記無線システム（ＦＳ１・ＦＳ２）の上記クロック信号発生器（ＴＧ１・ＴＧ２）にプログラムすることを特徴とする請求項１４に記載の方法。
【請求項１６】
無線システム（ＦＳ１・ＦＳ２）における時間制御ユニット（ＺＳ１・ＺＳ２）の上記トリガー信号を、上記モニタリングユニット（ＫＥ）に送信することを特徴とする請求項１５に記載の方法。
【請求項１７】
上記モニタリングユニット（ＫＥ）が上記トリガー信号を受信した後、スイッチＯＦＦ信号を、上記トリガー信号を送信した時間制御ユニット（ＺＳ１・ＺＳ２）に送信することを特徴とする請求項１６に記載の方法。
【請求項１８】
上記動作停止期間の上記無線局における、上記無線周波数発振器（ＨＦＯ）および／または電源ユニット（ＥＶ）の電力消費量を下げた状態でスイッチＯＦＦまたは切り替えを行った場合、上記無線周波数発振器（ＨＦＯ）および／または上記電源ユニット（ＥＶ）を、上記動作停止期間の終了前に再び能動化することを特徴とする請求項１３に記載の方法。
【請求項１９】
上記無線周波数発振器（ＨＦＯ）および／または上記電源ユニット（ＥＶ）を能動化するために、上記動作停止期間の上記残余時間を低減することにより、減算時間を決定することを特徴とする請求項１８に記載の方法。
【請求項２０】
上記動作停止期間の終了時に、上記減算時間の間隔内で、上記無線周波数発振器（ＨＦＯ）からの安定したクロック信号および／または安定した電源（ＥＶ）が得られるように、上記減算時間を設定することを特徴とする請求項１９に記載の方法。
【請求項２１】
動作停止期間の開始および終了時にモニタリングユニットからプロセッサユニット（ＰＥ）に信号を送信することは、無線システム（ＦＳ１・ＦＳ２）の再プログラミングを開始すること、特に、あらかじめ正確に決められた時間を必要としない手順の変更、特に、クロック分周係数の変更および／またはスイッチのＯＮまたはＯＦＦ、または、電源電圧の変更を開始することであることを特徴とする請求項９〜２０のいずれか１項に記載の方法。
【請求項２２】
上記無線システムが、少なくとも、無線標準規格ＵＭＴＳ、ＧＳＭ、または、ＧＳＭ／ＥＤＧＥに準拠していることを特徴とする請求項９〜２１のいずれか１項に記載の方法。
【発明の詳細な説明】
【発明の詳細な説明】
【０００１】
本発明は、無線局、特に移動無線局の消費電力を制御する装置に関するものである。この無線局は、異なる時間パターンで少なくとも２つの無線標準規格の信号を送信／受信するために設計されている。また、本発明は、無線局の消費電力の制御方法に関するものである。
【０００２】
移動局の送受信装置では、多数の動作を実行し、制御信号を生成する必要がある。これらの多数の動作と制御信号とのタイミングは、移動無線標準規格で特定される特有のパターンに関連している。
【０００３】
近年では、移動無線の分野では、ますます発展し、あるいは、将来新たな標準規格に置き替えられるであろう様々な標準規格が確立されている。既知の移動無線標準規格としては、ＧＳＭ（移動体通信用グローバルシステム（Global System for Mobile Communication））、ＥＤＧＥ（Enhanced Data Services for GSM Evolution）標準と呼ばれるＧＳＭの発展型の８ＰＳＫ（８位相シフトキーイング）、および、ＣＤＭＡ（符号分割多重接続）伝送方法に基づく様々な標準規格（例えば、ＵＭＴＳ（ユニバーサル移動電話システム））が挙げられる。第４世代移動無線標準規格は、ＭＢＳ（Mobile Broad Band System）として近年すでに開発されている。
【０００４】
様々な標準規格が競合して存在しているために、移動無線用の移動局に対する要求はますます高まっている。移動局は、複数の移動無線システムおよび移動無線標準規格に同時に対応できることが望ましい。そのためには、移動局が個々の標準規格の多様な時間パターンを生成でき、それに基づいて適切な事象制御プロセスを実行できる必要がある。
【０００５】
ＣＤＭＡおよびＴＤＭＡといった異なる２つの移動無線標準規格の伝送方法は、符号クロック周波数に応じて異なっている。伝送されるデータは、通常、所定の長さの伝送フレームの中に構成されている。連続した信号列における各伝送フレームのこの構造および／または長さは、あらかじめ定められており、移動局によって識別される。移動局は、移動局の時系列制御を調整する必要がある。このフレーム構造内には、移動局で動作が生じない期間がしばしば存在する。特に、移動局が入電を待っている時（いわゆる、ページングモード）には、比較的長い動作停止期間が存在する。この停止期間中には、可能な限り大きい電源容量で、できる限り長い待機時間が得られるように、移動局の消費電力は最小値に低減するべきである。したがって、このような動作停止中に、特定の機能ブロックを停止または完全にＯＦＦ状態にできるようにする必要がある。
【０００６】
ドイツ公開特許明細書ＤＥ  １００  ０９  ６８３  Ａ１から、可能な限り多くのユニット（例えば、無線周波数発振器、計数器、または、周波数分割器）を、動作停止期間の間、非能動化することにより、ＧＳＭ無線標準規格に準拠する移動局の消費電力を低減できる、という従来技術が知られている。動作停止期間の間、移動局の次の能動化の時が、可聴周波数発振器によって維持される。さらに、このような動作停止期間の間に生じる割り込み要求に応じて、このシステムの次の能動化までの残余期間は、減少した残余期間が能動化のための準備に十分である程度に減少する。その結果、待機状態期間は、プロセス中に通信ユニットとその基地局または主局との間の同期を失わずに、割り込み要求に応じて低減される。このような既知の方法および既知の移動局の不都合は、単一の無線標準規格にしか準拠していないということにある。複数の無線標準規格に準拠した移動局の動作、および、様々な無線標準規格に対応して動作停止期間中に非能動化される移動局のユニットの動作は、従来技術によって知られている方法および移動局によっては実現することができない。
【０００７】
本発明の目的は、少なくとも２つの無線標準規格に準拠する無線局の消費電力を低減できる装置および方法を提供することである。
【０００８】
この目的を、特許請求項１の特徴部分を有する装置、および、特許請求項９の特徴部分を有する方法によって、達成する。
【０００９】
無線局の消費電力を制御するための本発明の装置は、少なくとも２つの無線システムを備えている。各無線システムは、異なる無線標準規格にそれぞれ準拠するように設計されている。特に移動局として形成されている無線局は、異なる時間パターンで、これらの異なる無線標準規格の信号を送信／受信するように設計されている。さらに、本発明の装置は、第１周波数生成ユニットと、モニタリングユニットとを備えている。このモニタリングユニットは、第１周波数生成ユニットに電気的に接続されており、特に、この第１周波数生成ユニットの下流側に接続されている。第１周波数生成ユニットは、特に、可聴周波数発振器として形成されている。さらに、モニタリングユニットは、消費電力を制御するために、無線局の各無線システムに電気的に接続されている。
【００１０】
本発明の装置を用いて、少なくとも２つの異なる無線標準規格に準拠した無線局を形成できる。この無線局では、各無線システムのシステム関連ユニットおよび無線局の他のユニットが、それらの要求プロファイルおよび所要動作状態に応じてそれぞれに必要な消費電力を用いて形成される。これにより、無線局の消費電力を著しく低減でき、したがって、無線局の待機時間を著しく伸ばすことができる。単一のモニタリングユニットがすべての無線システムに接続されているので、回路の複雑さを最小限にすることもでき、簡単に実現できる。さらに、望ましく、有効であって、非常にコンパクトで、比較的小型な装置を形成できるとともに、特に、この装置は、全体的にできる限り小型の無線局を供給できる。本発明の装置により、特に、動作停止中の無線局の消費電力を最小限にすることができる。
【００１１】
特に、動作停止中の無線局を制御するために、各無線システムが、別々の時間制御ユニットを備えていることが好ましい。各時間制御ユニットは、専用の同期線（特に、それぞれに一つの同期線）を介してモニタリングユニットに電気的に接続されている。この同期線は双方向性である。
【００１２】
また、各無線システムは、クロック信号生成器を備えていることが有効である。モニタリングユニットは、第２信号線を介して、クロック信号生成器のうちの１つのみに電気的に接続されている。この第２信号線は、モニタリングユニットと対応する無線システムのためのクロック信号生成器との間に形成されている。
【００１３】
好ましい例示的な一実施形態では、この装置は、さらに、プロセッサユニットと、電源ユニットと、第２周波数生成ユニットとを備えている。モニタリングユニットは、プロセッサユニットと、電源ユニットと、第２周波数生成ユニットとに、異なる信号線を介して電気的に接続されている。第２周波数生成ユニットは、無線周波数発振器として形成されていることが有効である。モニタリングユニットを用いて、プロセッサユニットと、電源ユニットと、第２周波数生成ユニットとから得られる動作状態を制御できる。動作状態が異なるということは、消費電力が異なっているということである。したがって、各無線システムに直接接続されているユニットに加えて、動作停止期間に無線局の他のユニットを非能動状態にでき、あるいは、それらを低減された消費電力で動作させることができる。これにより、さらに、無線局の消費電力を低減できる。
【００１４】
他の有効な実施形態では、モニタリングユニットは、２つの信号線によってプロセッサユニットに電気的に接続されている。この場合、第１信号線を介して、動作停止期間を無線局にプログラムする信号を、送信することが好ましい。これらの動作停止期間の開始および継続時間は、特に移動無線システムの様々な時間パターンに整合する。さらに、モニタリングユニットとプロセッサユニットとの間の第２信号線を介して、無線システムを再プログラミングするための信号を送信できる。特に、無線局での動作停止期間の開始時間および／または終了時間の間、再プログラミングを実行できる。
【００１５】
本発明の他の有効な形態では、プロセッサユニットが、信号線を介して、各無線システム、特に、各無線システムの各クロック信号発生器に、電気的に接続されていることを特徴としている。
【００１６】
無線局の消費電力が変化する動作状態の開始時間および／または終了時間、および／または、消費電力が変化した動作状態の期間を、モニタリングユニットによって制御できることが好ましい。
【００１７】
また、無線システムは、ＵＭＴＳ、ＧＳＭ、および、ＧＳＭ／ＥＤＧＥ無線標準規格に準拠していることが有効である。
【００１８】
少なくとも２つの無線システムを備えた無線局（特に移動無線局）の消費電力を制御するための本発明の方法では、無線局において、無線局のユニットによる動作状態への切り替えを行う。これらのユニットの消費電力は、動作停止期間において異なっていることを特徴としている。ここで、無線システムは、それぞれ、１つの無線標準規格に準拠しており、無線局は、少なくとも２つの無線標準規格の信号を異なる時間パターンで送信／受信するように設計されている。これらの動作停止期間の開始および継続時間は、動作停止期間が各時間ユニットにおいて測定されるように、特に、異なる時間パターンの開始および継続時間に整合している。
【００１９】
本発明の方法により、無線局の消費電力を最小にでき、特に動作停止期間中に、無線局の消費電力を著しく低減できる。したがって、無線局の待機時間を著しく長くすることができる。この方法は、簡単かつ手間をかけずに実施できる。
【００２０】
動作停止の期間および開始時間および／または終了時間を、モニタリングユニットによって監視することが有効である。無線局におけるユニットの動作状態の切り替えを、モニタリングユニットによって実行および／またはサポートすることが好ましい。１つの有効な実施形態では、１つの無線システムに含まれている時間制御ユニットを非能動化するか、または、消費電力が低減した状態に切り替える。無線周波数発振器のクロック信号が非能動化されている動作停止期間において、この動作停止期間の終了までの期間を可聴周波数発振器からのクロック信号によって決定することが有効である。
【００２１】
動作停止の時間を、プロセッサユニットからの信号によってモニタリングユニットにプログラムすることが好ましい。また、プロセッサユニットは、各無線システムのクロック信号生成器に送信される第２信号を生成できる。この第２信号を用いて、関連する無線システムの時間制御ユニットによって動作停止期間の開始時間のためのトリガー信号を生成することを、その無線システムのクロック信号発生器にプログラムする。また、無線システムにおける時間制御ユニットのトリガー信号を、モニタリングユニットに送信することが有効である。モニタリングユニットがトリガー信号を受信した後、スイッチＯＦＦ信号を、モニタリングユニットから時間制御ユニットに送信することが好ましい。その前に、時間制御ユニットからトリガー信号が送信される。
【００２２】
本発明の方法の好ましい例示的な１実施形態では、動作停止期間の無線局における、第２周波数生成ユニット（特に、無線周波数発振器）および／または電源ユニットの消費電力を下げた状態でスイッチＯＦＦまたは切り替えを行った場合、第２周波数生成ユニット（特に、無線周波数発振器）および／または電源ユニットを、動作停止期間の終了前に再び能動化する。
【００２３】
無線周波数発振器および／または電源ユニットを起動するために動作停止期間の終了までの残余期間を低減することにより、減算時間を決定することが有効である。動作停止期間の終了時に減算期間内で安定したクロック信号および／または安定した電源電圧が得られ、または、生成されるまで、この減算時間が続くことが有効である。
【００２４】
動作停止期間の開始および終了時にモニタリングユニットからプロセッサユニットに信号を送信することは、特に、予め正確に決められた時間を必要としない手順の変更、特に、クロック分周係数の変更、および／または、スイッチのＯＮまたはＯＦＦ、または、電源電圧の変更を開始するといった無線システムの再プログラミングが開始されたことを意味している。
【００２５】
本発明の例示的な１つの実施形態について、図面を参照しながら以下に詳述する。図は、本発明の装置を示すブロック図である。
【００２６】
本発明の装置（図１）は、移動無線局に配置されている。この装置は、２つの無線システムＦＳ１およびＦＳ２を備えている。例示的な実施形態の第１無線システムＦＳ１は、ＵＭＴＳ移動無線標準規格に準拠しており、第２無線システムＦＳ２は、ＧＳＭ／ＥＤＧＥ移動無線標準規格に準拠している。第１無線システムＦＳ１は、クロック信号生成器ＴＧ１と、時間制御ユニットＺＳ１とを備えている。第２無線システムＦＳ２も、同様に、クロック信号生成器ＴＧ２と、時間制御ユニットＺＳ２とを備えている。この移動局は、ＵＭＴＳおよびＧＳＭ／ＥＤＧＥ標準規格以外の他の無線標準規格に準拠した他の無線システムを備えていてもよい。
【００２７】
さらに、この装置は、移動局における動作停止期間の監視に用いられるモニタリングユニットＫＥを備えている。このモニタリングユニットＫＥは、第１無線システムＦＳ１と第２無線システムＦＳ２とに電気的に接続されている。第１無線システムＦＳ１のクロック信号生成器ＴＧ１は、クロック信号線ＴＳ２を介してモニタリングユニットＫＥに接続されている。モニタリングユニットＫＥと第１無線システムＦＳ１との間の第２電気接続は、時間制御ユニットＺＳ１とモニタリングユニットＫＥとの間の双方向同期線ＳＹ１によって行われる。第２無線システムＦＳ２の時間制御ユニットＺＳ２は、同様に、双方向同期線ＳＹ２を介して、モニタリングユニットＫＥに電気的に接続されている。これら両方の同期線ＳＹ１・ＳＹ２を、それぞれ、差動線として形成してもよい。
【００２８】
さらに、第１無線システムＦＳ１のクロック信号発生器ＴＧ１は、クロック信号線ＴＳ３を介して、時間制御ユニットＺＳ１に電気的に接続されている。また、第２無線システムＦＳ２のクロック信号発生器ＴＧ２は、クロック信号線ＴＳ４を介して、時間制御ユニットＺＳ２に電気的に接続されている。
【００２９】
モニタリングユニットＫＥは、クロック信号線ＴＳ１を介して、（例示的な実施形態では、可聴周波数発振器ＮＦＯとして形成された）第１周波数生成ユニットに電気的に接続されている。さらに、モニタリングユニットＫＥは、第１制御信号線ＳＳ１を介して、電源ユニットＥＶに電気的に接続されており、第２制御信号線ＳＳ２を介して、（例示的な実施形態では、無線周波数発振器ＨＦＯとして形成されている）第２周波数生成ユニットに電気的に接続されている。さらに、モニタリングユニットＫＥは、２つの制御信号線ＳＳ３・ＳＳ４を介して、プロセッサユニットＰＥに電気的に接続されている。このプロセッサユニットＰＥも、クロック信号線ＳＳ５を介して、無線システムＦＳ１・ＦＳ２（特に、クロック信号発生器ＴＧ１・ＴＧ２）に電気的に接続されている。さらに、無線周波数発振器ＨＦＯは、クロック信号線ＴＳ５を介して、２つの無線システムＦＳ１・ＦＳ２（特に、クロック信号生成器ＴＧ１・ＴＧ２）に電気的に接続されている。
【００３０】
以下では、移動局およびそのシステムユニットの、消費電力の制御プロセスの流れについて、説明する。例示証的な実施形態では、無線周波数発振器ＨＦＯと、電源ユニットＥＶと、可聴周波数発振器ＮＦＯと、モニタリングユニットＫＥとが、能動状態にある。この能動状態は動作状態のことであり、能動状態の消費電力は、待機モードまたは非能動状態のそれよりも比較的高い。例示的な実施形態におけるプロセッサユニットＰＥは、制御信号線ＳＳ５を介して、第１無線システムＦＳ１のクロック信号生成器ＴＧ１をプログラムする。このクロック信号生成器ＴＧ１は、クロック信号線ＴＳ３を介して、時間制御ユニットＺＳ１用のクロック信号を供給する。時間制御ユニットＺＳ１は、消費電力が比較的高い能動動作状態にある。
【００３１】
同様に、プロセッサユニットＰＥは、制御信号線ＳＳ５を介して、時間制御ユニットＺＳ１に事象をプログラムするために用いられる。この時間制御ユニットＺＳ１では、この事象によって、移動局の動作停止期間の開始時間にトリガー信号を生成する。さらに、プロセッサユニットＰＥは、制御信号線ＳＳ３を介してモニタリングユニットＫＥに、動作停止の期間をプログラムする。
【００３２】
このトリガー信号を、動作停止期間の開始時点で、時間制御ユニットＺＳ１において生成し、同期線ＳＹ１を介してモニタリングユニットＫＥに送信する。同時に、時間制御ユニットＺＳ１の同期線ＳＹ１の信号入力を、送信から受信に切り替える。その後すぐに、モニタリングユニットＫＥは、スイッチＯＦＦ信号を時間制御ユニットＺＳ１に送信する。これにより、時間制御ユニットＺＳ１のクロック信号はＯＦＦ状態になる。そして、時間制御ユニットＺＳ１を、能動状態時よりも消費電力の少ない動作状態に切り替える。また、時間制御ユニットを、完全に非能動化してもよい。
【００３３】
時間制御ユニットＺＳ１を、消費電力の低い動作状態に切り替え、ＯＦＦ状態にした時点から、動作停止期間の終わりまでの動作停止の残余期間を、可聴周波数発振器ＮＦＯからのクロック信号によって測定する。このクロック信号は、クロック信号線ＴＳ１を介して送信される。
【００３４】
無線周波数発振器ＨＦＯおよび／または電源ユニットＥＶを第２無線システムＦＳ２が必要としない場合、これら２つのユニットＨＦＯおよび／またはＥＶを、制御信号線ＳＳ１・ＳＳ２を介して、適切な制御信号を用いてＯＦＦ状態にするか、または、消費電力の低い動作状態（待機状態）に切り替える。
【００３５】
動作停止期間の終了までの残余期間を有効な態様に決定し、それを縮めて、動作停止期間が終了する時点よりも前の適切な時点で、もう一度スイッチＯＦＦユニットＨＦＯおよび／またはＥＶを能動化することにより、減算時間を規定できる。モニタリングユニットＫＥは、無線周波数発振器ＨＦＯおよび／または電源ユニットＥＶを、各制御信号線ＳＳ１・ＳＳ２を介して、適切な制御信号を用いて起動する。上記の減算時間を、安定したクロック信号をクロック信号線ＴＳ５を介して供給し、電源ユニットＥＶの安定した電源電圧を生成することを、動作停止期間が終了する時点よりも前に行えるように、規定する。
【００３６】
動作停止期間が可聴周波数発振器ＮＦＯからのクロック信号の周期の整数倍ではない場合、クロック信号生成器ＴＧ１からのクロック信号を、減算時間の期間の終了時点、かつ、動作停止期間が終了する前に、クロック信号線ＴＳ２を介して供給する。こうして、動作停止期間の整数ではない残余を測定できる。動作停止期間が終了する時点で、モニタリングユニットＫＥは、同期線ＳＹ１を介して、時間制御ユニットＺＳ１に開始信号を送信する。この時点から、時間制御ユニットＺＳ１は再び能動化し、クロック信号生成器ＴＧ１のクロック信号によって作動しつづける。時間制御ユニットＺＳ１の同期線ＳＹ１の入力は、出力に切り替えられる。
【００３７】
モニタリングユニットＫＥとプロセッサユニットＰＥとの間の制御信号線ＳＳ４により、モニタリングユニットＫＥは、動作停止期間の開始時点および／または終了時点において無線システムＦＳ１を再プログラムできる。これにより、特に、クロック信号がプロセスユニットＰＥに現れた場合、あらかじめ正確に決められた時間に実行する必要のない、または、割り込み遅延時間が認められている、プロセスを実行できる。例えば、クロック分周係数を変更でき、電源をオンするかまたはオフすることができ、あるいは、電源電圧を変化させることができる。
【００３８】
また、モニタリングユニットＫＥおよび可聴周波数発振器ＮＦＯにも、動作停止期間に電圧を印加する。同様に、第１無線システムＦＳ１の代わりに、あるいは、それに加えて、第２無線システムＦＳ２、および／または、第２無線システムＦＳ２の機能ユニットを、ＯＦＦ状態にでき、または、消費電力の低い状態に切り替えることができる。
【００３９】
１つの無線システムＦＳ１またはＦＳ２の単一のクロック信号生成器（例示的な実施形態では、クロック信号生成器ＴＧ１）と、モニタリングユニットＫＥとの間を接続することにより、動作停止の期間の整数ではない残余時間を十分に決定できる。この単一のクロック信号生成器を、可聴周波数発振器ＮＦＯからのクロック信号により実現される時間分解能よりも精度の高い時間分解能が必要な、全ての時間制御タスクのために用いることができる。したがって、１つの可聴周波数クロックおよび１つの無線周波数クロックによって、無線局における無線システムの全ての動作停止期間を十分に制御できる。
【００４０】
本発明の装置および本発明の方法により、少なくとも２つの異なる無線標準に準拠する移動局の消費電力を最小にでき、特に、移動局における動作停止期間中に、移動局においてできる限り多くのシステムユニット（無線システムのユニット、および、場合によっては移動局における他のユニット）を非能動状態にでき、あるいは、上記ユニットを、消費電力の低い状態に切り替えることができる。これにより、移動局の待機時間を著しく増やすことができる。単一のモニタリングユニットのみを用いて、移動局およびそれらのユニットにおける、全ての無線システムの消費電力を制御する。このモニタリングユニットは、共通のリソースを管理し、これらのリソースに、それぞれ必要な要求プロファイルに応じて、必要な電力を供給する。これにより、能動状態での動作停止期間の間、移動局において最小数の機能ユニットを動作できる。モニタリングユニットと無線システム（特に、無線システムの時間制御ユニット）との間の電気接続は、単一の同期線によって供給されることが有効である。これにより、接続、および、配線の複雑さを低減でき、それゆえに、回路の複雑さをも著しく低減できる。
【図面の簡単な説明】
【００４１】
【図１】本発明の装置を示すブロック図である。
【図１】
0004417333.tif 000002